(57)【要約】【課題】外部ストロボ装着時の、内蔵ストロボと外部ストロボの発光制御設定を容易にすることができる撮像装置に関する。【解決手段】  撮影時に閃光を発して被写体を照明する第１の照明装置（３）と、第１の照明装置の発光制御に関する設定を行う設定手段と、撮影時に閃光を発して被写体を照明する第２の照明装置（１００）を装着する装着手段（５）と、を有し、装着手段（５）に第２の照明装置（１００）が装着されているとき、設定手段によって第２の照明装置（１００）の発光制御情報が設定されることを特徴とする撮像装置による。【選択図】図５
2011027978.tif 000002
【特許請求の範囲】
【請求項１】
閃光を発して被写体を照明する第１の照明装置と、第１の照明装置の発光動作の制御に用いる発光制御情報を設定する設定手段と、上記発光制御情報を表示する第１の表示手段と、閃光を発して被写体を照明する第２の照明装置を装着する装着手段と、を有する撮像装置であって、
上記装着手段を介して上記第２の照明装置が装着されているとき、上記設定手段によって上記第２の照明装置の発光制御情報を設定することができる撮像装置。
【請求項２】
上記第２の照明装置は発光制御情報を表示する第２の表示手段を有し、
上記装着手段を介して第２の照明装置が装着されているとき、上記表示手段に、上記発光制御情報が表示されることを特徴とする請求項１記載の撮像装置。
【請求項３】
上記装着手段を介して上記第２の照明装置が装着されているとき、
上記第１の照明装置の最大発光量と上記第２の照明装置の最大発光量を合計した合成最大発光量が、上記第１の表示手段または上記第２の表示手段の少なくともいずれか一方に表示されることを特徴とする請求項２記載の撮像装置。
【請求項４】
上記第１の照明装置と上記第２の照明装置の発光量を、上記合成最大発光量に対して設定することができることを特徴とする請求項３記載の撮像装置。
【請求項５】
上記撮像装置は、上記第１および第２の照明装置の発光制御を上記発光制御情報に応じて行う第１の制御手段を有し、
上記第２の照明装置は、上記第１および第２の照明装置の発光制御を上記発光制御情報に応じて行う第２の制御手段を有し、
上記装着手段を介して上記第２の照明装置が装着されているとき、設定されている調光方式が、１の調光方式であれば上記第１の制御手段によって上記第１の照明装置と上記第２の照明装置の発光動作を停止させ、
上記装着手段を介して上記第２の照明装置が装着されているとき、設定されている調光方式が、他の調光方式であれば上記第２の制御手段によって上記第１の照明装置と上記第２の照明装置の発光動作を停止させる、ことを特徴とする請求項１記載の撮像装置。
【請求項６】
上記１の調光方式はプリ発光方式であって、上記他の調光方式は外光オート方式であることを特徴とする請求項５記載の撮像装置。
【請求項７】
上記装着手段を介して上記第２の照明装置が装着されているとき、上記発光制御情報に応じて、当該第２の照明装置のみを発光させることを特徴とする請求項１記載の撮像装置。
【請求項８】
上記発光制御情報には、発光方式、発光量、調光補正量のいずれかが含まれることを特徴とする請求項１乃至７のいずれかに記載の撮像装置。
【発明の詳細な説明】
【技術分野】
【０００１】
本発明は、閃光を発して被写体を照明する装置（以下「ストロボ」という）を内蔵し、かつ、外部ストロボを装着することができる撮像装置に関するものであって、詳しくは、外部ストロボを装着したときの発光制御の設定を容易に行うことができる撮像装置に関するものである。
【背景技術】
【０００２】
ストロボが内蔵された撮像装置において、外部ストロボを装着することができるものが知られている。外部ストロボは内蔵ストロボに比べてより大きな閃光を発することができるが、内蔵ストロボと外部ストロボのいずれにおいても、撮影画像の露出が適正になるように、発光量、撮影レンズの絞りと撮像素子の感度（またはフィルムの感度）などの発光に関わる制御（以下「発光制御」という）が必要となる。この発光制御を行う手段（以下「発光制御手段」という）は、撮像装置と外部ストロボの双方に備わっている。なお発光制御手段によってストロボの発光量などを制御することを調光という。
【０００３】
従来の撮像装置には複数の調光方式が設定可能であって、設定した調光方式にのっとって発光制御がなされる。設定可能な調光方式には、フラッシュマチック方式、外光オート方式、ＴＴＬダイレクト調光方式、プリ発光方式などがある。
【０００４】
フラッシュマチック方式は、ストロボの閃光によって適正露光が得られる光量を、撮影レンズのＦ値と被写体までの距離Ｌを掛け合わせたガイドナンバー（ＧＮ）と呼ばれる数値によって発光量を設定する調光方式である。なお、ガイドナンバーはフィルムのＩＳＯ感度、或いは撮像素子のＩＳＯ相当感度が１００の場合の数値を表しており、撮像素子などの感度に応じて露出制御値が修正される。
【０００５】
外光オート方式は、被写体で反射されたストロボ光を撮像装置本体、または撮像装置に装着された外部ストロボが備える測光センサーで測定し、測定の結果が所定の値になったとき（適正露光になったとき）にストロボの発光を停止する調光方式である。
【０００６】
ＴＴＬダイレクト調光方式は、被写体で反射されたストロボ光を、撮影レンズを介して撮像面、もしくは撮像面と等価な面に導いて、撮像装置が備える測光センサーによって反射光を測定し、測定の結果が所定の値になったとき（適正露光になったとき）に、ストロボの発光を停止する調光方式である。
【０００７】
プリ発光方式は、撮影動作に先立つタイミングにおいて、小光量でストロボを発光（プリ発光）し、被写体からの反射光を撮像装置本体、または撮像装置に装着された外部ストロボが備える測光センサーで測定し、測定の結果が所定の値になったとき（適正露光になったとき）にストロボの発光を停止する調光方式である。
【０００８】
近年普及しているコンパクトタイプの撮像装置においても、上記に列挙した調光方式だけでなく、発光量や調光のレベル(露出オーバー・露出アンダーのレベル)を使用者が任意に設定することができるものもある。
【０００９】
コンパクトタイプの場合は、筐体の大きさによってストロボの発光部や発光のエネルギーを蓄積するコンデンサの大きさが制約されるので、ガイドナンバーが小さくなり、被写体までの距離が遠いと光量が不足して露出がアンダーになる。この光量不足を補うために、外部ストロボを装着する。外部ストロボは装着されると発光制御に必要な情報を撮像装置との間で通信をし、適切な発光制御を行う。
【００１０】
従来の撮像装置は、内蔵ストロボの発光制御にかかる設定を行うための設定手段を有し、外部ストロボには外部ストロボの発光制御にかかる設定を行うための手段が備わっている。
したがって、従来の撮像装置に外部ストロボが装着されると、内蔵ストロボを使用することができないので、外部ストロボの設定は、撮像装置が有する設定手段ではなく、外部ストロボが備える設定手段によって行っていた。
【００１１】
また、外部ストロボは発光量が大きく、遠距離にある被写体を撮影するときに露出不足を防ぐことができるが、近距離にある被写体を撮影するとき、特にマクロ撮影をするときには、発光量が大きすぎて不適である。たとえば、マクロ撮影をするときは外部ストロボが装着されていると、発光量を小さくしても露出がオーバーしてしまう。したがって、近距離被写体を撮影するときは外部ストロボを外して、内蔵ストロボの設定を行って撮影する必要があった。
【００１２】
上記のように、外部ストロボを装着すると内蔵ストロボが動作しないので、被写体までの距離によって、外部ストロボを着脱する必要が生じ不便であった。また、外部ストロボの設定手段と内蔵ストロボの設定手段が異なるため、操作が煩雑となって不便であった。そこで、装着されている外部ストロボに応じた設定画面を撮像装置が備える表示手段に表示し、撮像装置側で外部ストロボの発光制御設定を行うことができる撮像装置が知られている（例えば「特許文献１」を参照）。
【００１３】
特許文献１の撮像装置は、装着される外部ストロボに応じて設定可能な情報が表示されるようになっているので、外部ストロボが異なると設定画面が異なり、また、どの設定が最適な設定であるのか装着されている外部ストロボの情報に精通しないと判断がつきにくく、利用者が最適な設定を判断することが困難であり、また、設定操作を容易に行うことができなかった。
【００１４】
このように、外部ストロボを装着しているか否か、またどのような外部ストロボが装着されているか、それぞれの状況の違いによって設定操作が異なることは、最適な調光を行いにくくなり、設定ミスが誘発されやすい状態となるため不便である。
【発明の概要】
【発明が解決しようとする課題】
【００１５】
本発明は上記課題を鑑みてなされたものであって、外部ストロボが装着されていても、最適なストロボの発光制御設定を容易に行うことができる撮像装置を提供することを目的とする。
【課題を解決するための手段】
【００１６】
本発明は、閃光を発して被写体を照明する第１の照明装置と、第１の照明装置の発光動作の制御に用いる発光制御情報を設定する設定手段と、発光制御情報を表示する第１の表示手段と、閃光を発して被写体を照明する第２の照明装置を装着する装着手段と、を有する撮像装置であって、装着手段を介して第２の照明装置が装着されているとき、設定手段によって第２の照明装置の発光制御情報を設定することができることを主な特徴とする。
【００１７】
また本発明は、上記撮像装置において、第２の照明装置は発光制御情報を表示する第２の表示手段を有し、装着手段を介して第２の照明装置が装着されているとき、表示手段に、発光制御情報が表示されることを特徴とする。
【００１８】
また本発明は、装着手段を介して第２の照明装置が装着されているとき、第１の照明装置の最大発光量と第２の照明装置の最大発光量を合計した合成最大発光量が、第１の表示手段または第２の表示手段の少なくともいずれか一方に表示されることを特徴とする。
【００１９】
また本発明は、上記撮像装置において、第１の照明装置と第２の照明装置の発光量を、合成最大発光量に対して設定することができることを特徴とする。
【００２０】
また本発明は、上記撮像装置において、撮像装置は、第１および第２の照明装置の発光制御を上記発光制御情報に応じて行う第１の制御手段を有し、第２の照明装置は、第１および第２の照明装置の発光制御を発光制御情報に応じて行う第２の制御手段を有し、装着手段を介して第２の照明装置が装着されているとき、設定されている調光方式が１の調光方式であれば、第１の制御手段によって第１の照明装置と第２の照明装置の発光動作を停止させ、装着手段を介して第２の照明装置が装着されているとき、設定されている調光方式が他の調光方式であれば、上記第２の制御手段によって第１の照明装置と第２の照明装置の発光動作を停止させる、ことを特徴とする。
【００２１】
また本発明は、上記撮像装置において、１の調光方式はプリ発光方式であって、他の調光方式は外光オート方式であることを特徴とする。
【００２２】
また本発明は、上記撮像装置において、装着手段を介して第２の照明装置が装着されているとき、発光制御情報に応じて、当該第２の照明装置のみを発光させることを特徴とする。
【００２３】
また本発明は、上記撮像装置において、発光制御情報は、発光方式、発光量、調光補正量のいずれかが含まれることを特徴とする。
【発明の効果】
【００２４】
本発明によれば、外部ストロボを装着した撮像装置において、内蔵ストロボと同様の設定操作によって、最適な調光設定を容易に行うことができるようになる。
【図面の簡単な説明】
【００２５】
【図１】本発明に係る撮像装置の外観の例を示す正面図である。
【図２】上記撮像装置の外観の例を示す上面図である。
【図３】上記撮像装置の外観の例を示す背面図である。
【図４】上記撮像装置の実施例を示す機能ブロック図である。
【図５】上記撮像装置に外部ストロボを装着した例を示す正面図である。
【図６】上記撮像装置に外部ストロボを装着した例を示す背面図である。
【図７】上記撮像装置が備える外部ストロボ装着手段の例を示す平面図である。
【図８】上記撮像装置におけるストロボモード設定画面の例を示す平面図である。
【図９】上記撮像装置における撮影条件設定画面の例を示す平面図である。
【図１０】本発明に係る撮像装置に装着される外部ストロボにおけるストロボモード設定画面の例を示す図である。
【図１１】本発明に係る撮像装置の別の実施例を示す機能ブロック図である。
【図１２】上記撮像装置における発光制御処理の流れの別を示すフローチャートである。
【発明を実施するための形態】
【００２６】
以下、本発明に係る撮像装置の実施形態について図を用いて説明する。図１乃至図３は本発明に係る撮像装置の例であるデジタルカメラの外観構成を示す図である。図１は正面図、図２は上面図、図３は背面図である。
図１において撮像装置１００は、筐体正面に第１の照明装置である内蔵ストロボ３、セルフＬＥＤ４及び撮像レンズを含む鏡胴ユニット７が配置されている。また、筐体の一方の側面部には、メモリカード装填室および電池装填室の蓋２が設けられている。
図２において撮像装置１００は、筐体上面にレリーズ（スイッチ）ＳＷ１、調光モードや撮影モードを設定するモードダイアルＳＷ２および第２の照明装置である外部ストロボを固定し、撮像装置１と外部ストロボ間の通信インターフェースとなる装着手段であるホットシュー５が設けられている。
【００２７】
図３において撮像装置１００は、筐体背面にＡＦ用ＬＥＤ８、ストロボＬＥＤ９、第１の表示手段であるＬＣＤモニタ１０、電源スイッチＳＷ１３、広角方向ズーム操作に用いるスイッチＳＷ３、望遠方向ズーム操作に用いるスイッチＳＷ４、セルフタイマーの設定および解除に用いるスイッチＳＷ５、メニュー表示に用いるスイッチＳＷ６、上移動およびストロボセットに用いるスイッチＳＷ７、右移動に用いるスイッチＳＷ８、ディスプレイ（ＬＣＤモニタ）の表示切り替えに用いるスイッチＳＷ９、下移動およびマクロ撮影に用いるスイッチＳＷ１０、左移動および画像確認に用いるスイッチＳＷ１１、所定の操作の実行及び選択したパラメータの設定に用いるＯＫスイッチＳＷ１２が配置されている。
【００２８】
次に、図４を用いて本発明に係る撮像装置の機能ブロックの例について説明する。本発明に係る撮像装置の各種動作（処理）は、ディジタル信号処理ＩＣ（集積回路）等として構成されるディジタルスティルカメラＣＰＵ１０４（以下、単に「ＣＰＵ１０４」と称する）によって制御される。ＣＰＵ１０４は、第１のＣＣＤ（電荷結合素子）信号処理ブロック１０４−１，第２のＣＣＤ信号処理ブロック１０４−２，ＣＰＵ（中央処理ユニット）ブロック１０４−３，ローカルＳＲＡＭ（ＳＲＡＭ：スタティックランダムアクセスメモリ）１０４−４，ＵＳＢ（ユニバーサルシリアルバス）ブロック１０４−５，シリアルブロック１０４−６，ＪＰＥＧコーデック（ＣＯＤＥＣ）ブロック１０４−７，リサイズ（ＲＥＳＩＺＥ）ブロック１０４−８，ＴＶ信号表示ブロック１０４−９およびメモリカードコントローラブロック１０４−１０を有してなる。これら各ブロックは相互にバスラインで接続されている。
【００２９】
ＣＰＵ１０４の外部には、ＲＡＷ−ＲＧＢ画像データ、ＹＵＶ画像データおよびＪＰＥＧ画像データを保存するためのＳＤＲＡＭ（シンクロナスランダムアクセスメモリ）１０３、撮像装置１００の動作制御に係るデータを一時的に記憶するＲＡＭ１０７、内蔵メモリ１２０および制御プログラムが格納されたＲＯＭ１０８が配置されており、バスラインを介してＣＰＵ１０４に接続されている。
【００３０】
鏡胴ユニット７は、ズームレンズ７−１ａを有するズーム光学系７−１，フォーカスレンズ７−２ａを有するフォーカス光学系７−２，絞り７−３ａを有する絞りユニット７−３およびメカニカルシャッタ７−４ａを有するメカシャッタユニット７−４，を備えている。ズーム光学系７−１，フォーカス光学系７−２，絞りユニット７−３およびメカシャッタユニット７−４はそれぞれＺＯＯＭモータ７−１ｂ、ＦＯＣＵＳモータ７−２ｂ、絞りモータ７−３ｂおよびメカシャッタモータ７−４ｂによって駆動される。これらＺＯＯＭモータ７−１ｂ、ＦＯＣＵＳモータ７−２ｂ、絞りモータ７−３ｂおよびメカシャッタモータ７−４ｂの各モータは、ＣＰＵ１０４のＣＰＵブロック１０４−３によって制御されるモータドライバ７−５によって動作が制御される。
【００３１】
鏡胴ユニット７のズームレンズ７−１ａおよびフォーカスレンズ７−２ａは、撮像素子であるＣＣＤ１０１の撮像面上に被写体光学像を結像するための撮像レンズを構成している。
ＣＣＤ１０１は、被写体光学像を電気的な画像信号に変換してＦ／Ｅ−ＩＣ（フロントエンドＩＣ）１０２に入力する。
Ｆ／Ｅ−ＩＣ１０２は、ＣＤＳ（相関２重サンプリング部）１０２−１、ＡＧＣ（自動利得制御部）１０２−２およびＡ／Ｄ（アナログ−ディジタル）変換部１０２−３を有し、前記画像信号にそれぞれ所定の処理を施して、ディジタル信号に変換し、ＣＰＵ１０４の第１のＣＣＤ信号処理ブロック１０４−１に入力する。
これらの信号処理動作は、第１のＣＣＤ信号処理ブロック１０４−１から出力されるＶＤ・ＨＤ（垂直駆動・水平駆動）信号により、ＴＧ（タイミングジェネレータ）１０２−４を介して制御される。
【００３２】
第１のＣＣＤ信号処理ブロック１０４−１は、ＣＣＤ固体撮像素子１０１からＦ／Ｅ−ＩＣ１０２を経由して入力されたディジタル画像データに対してホワイトバランス調整およびγ調整等の信号処理を行うとともに、ＶＤ信号およびＨＤ信号を出力する。
【００３３】
ストロボ回路１１４は充電回路部と発光制御部からなる。充電回路部は電池電圧を３００Ｖ程度まで昇圧して容量が１００〜２００μＦ程度のコンデンサを充電する。発光制御部は、充電されたコンデンサのエネルギーを、内蔵ストロボ３が備えるキセノン管に供給および停止させて発光量を制御する。
【００３４】
本実施例において、内蔵ストロボ３の調光モードはプリ発光方式とマニュアル発光方式とする。マニュアル発光方式では、発光量を０．５ＥＶ間隔で設定できるように構成されているものとし、調光補正機能が備わっているので、０．５ＥＶ間隔で±２．０ＥＶの範囲での設定が可能である。
【００３５】
さらに、ＣＰＵブロック１０４−３は、ＣＰＵ１０４の外部に配置されたサブＣＰＵ１０９にも結合されている。サブＣＰＵ１０９は、ＡＦ用ＬＥＤ８、ストロボＬＥＤ９、及びセルフＬＥＤ１１の発光制御を行う。
ＡＦ用ＬＥＤ８は、撮影動作時に合焦状態を表示するＬＥＤである。ストロボＬＥＤは、ストロボの充電状態を表すＬＥＤである。なお、ＡＦ用ＬＥＤ８とストロボＬＥＤ９は、メモリカードへのアクセス状態を表示する用途に用いてもよい。
セルフＬＥＤ１１は、セルフタイマー機能が実行されたとき、セルフタイマーが作動中であることを表示するＬＥＤである。
【００３６】
ＵＳＢブロック１０４−５は、ＵＳＢコネクタ１２２に結合されている。シリアルブロック１０４−６は、シリアルドライバ回路１２３−１を介してＲＳ−２３２Ｃコネクタに結合されている。テレビ信号表示ブロック１０４−９は、ＬＣＤドライバ１１７を介してＬＣＤモニタ１０に結合されている。また、ＴＶ信号表示ブロック１０４−９は、ビデオアンプ１１８を介してビデオジャック１１９にも結合されている。メモリカードコントローラブロック１０４−１０は、メモリカードスロット１２１のカード接点に結合されており、メモリカードがこのメモリカードスロット１２１に装填されると、メモリカードの接点に接触して電気的に接続する。
【００３７】
ＲＯＭ１０８には、ＣＰＵブロック１０４−３において解読可能なプログラムコードが格納されており、制御プログラムや制御プログラムが使用する各種パラメータが保存されている。撮像装置１００の電源が投入されると、ＲＯＭに格納されているプログラムコードがＲＡＭ１０７にロードされ、ＣＰＵブロック１０４−３は、ロードされたプログラムコードに従って、撮像装置１００が備える各部の動作制御をするとともに、動作制御に必要となるデータなどを一時的にＲＡＭ１０７、ローカルＳＲＡＭ１０４−４に保存する。
ＲＯＭ１０８に書き換え可能なフラッシュＲＯＭを使用することで、制御プログラム及び制御に用いるパラメータを変更することができ、これによって撮像装置１の機能拡充が行えるようになる。
【実施例１】
【００３８】
次に、本発明に係る撮像装置におけるストロボ発光制御設定の操作の例を説明する。図５および図６は本発明に係る撮像装置１に第２の照明装置である外部ストロボを装着した状態の例を示す正面図（図５）と背面図（図６）である。
【００３９】
図５において外部ストロボ２００は、正面に被写体を照明する閃光を発する発光部２０１、第２の検出手段であって調光方式が外光オート方式のときに動作する外光ＡＵＴＯ用調光センサー２０２、ＡＦのためのＡＦ補助光２０３、が備わっている。
調光センサー２０２は、発光部２０１から照射された閃光が被写体に当たって反射する反射光を受光し、光電変換による電流を発生させるセンサーである。調光センサー２０２が発生させた電流は積分コンデンサによって積分され、電荷量が所定の値に達したときに外部ストロボ２００の発光動作を停止させる。
【００４０】
また、外部ストロボ２００には図示しない第２の制御手段を構成するＣＰＵおよびメモリが搭載されている。この第２の制御手段によって、装着手段であるホットシュー５を介して撮像装置１の内蔵ストロボ３の発光を制御することもできる。
【００４１】
図６において外部ストロボ２００は、背面に発光部２０１の発光準備が整ったことを知らせる充電完了ランプ２０４、電源スイッチ２０５、テスト発光スイッチ２０６、第２の表示手段であるＬＣＤ表示部２０７、モード選択スイッチ２０８、設定選択スイッチ２０９、が備わっている。モード選択スイッチ２０８及び設定選択スイッチ２０９によって第２の設定手段を構成する。
外部ストロボ２００は、電源スイッチ２０５が入るとメインコンデンサーへの充電が開始されて、所定の電圧になると充電完了ランプ２０４が点灯する。この状態でテスト発光スイッチ２０６を押すと、発光動作を確認することができる。
【００４２】
外部ストロボ２００は、前述したとおり複数の調光モードを備えている。これら調光モードから利用者は、モード選択スイッチ２０８および設定選択スイッチ２０９を操作して、所望する調光モードの設定を行う。設定された調光モードにもとづいて発光制御が行われる。例えば、マニュアル発光方式が選択されたときは、発光量は０．５ＥＶ間隔で設定することができる。
【００４３】
また、外部ストロボ２００は調光補正機能を有しており、この機能によって調光を例えば±２．０ＥＶの範囲内で０．５ＥＶ間隔の設定をすることができる。外部ストロボ２００の調光モードが外光オート方式に設定されたときは、Ｆ値がＦ２．８，Ｆ４，Ｆ５．６，Ｆ８，の４段階で設定可能となる。
【００４４】
また、発光部２０１は図示しない角度変更機構によって、ストロボ光の照射角を変更することができる。これによって、ズームレンズを用いた撮影のときであっても、効果的に被写体を照明することができるように構成されている。
【００４５】
外部ストロボ２００は、第２の設定手段であるモード選択スイッチ２０８と設定選択スイッチ２０９を操作することで、調光モードと発光制御に係るパラメータの設定がなされ、これらの設定状況を第２の表示手段であるＬＣＤ表示部２０７に表示して確認することができる。
【００４６】
外部ストロボ２００はホットシュー５を介して撮像装置１００に装着される。図７にホットシュー５の拡大図を示す。図７において、ホットシュー５は、撮像装置１００からストロボ２００に対して同期発光信号等が出力されるＸ接点５１を中央に有し、撮像装置１００とストロボ２００の間の通信用の端子５２を複数個備えている。
ホットシュー５に外部ストロボ２００が装着されると、撮像装置１００と外部ストロボ２００は電気的に接続され、撮像装置１００が発する発光信号がＸ接点５１を介して、外部ストロボ２００に送られて、これによって所定の発光動作、すなわちシャッタ動作に同期した発光動作を行う。
また、通信用信号端子５２を介して調光設定に関する情報の通信が行われ、これによって所定の発光動作制御がなされる。
【００４７】
次に、上記撮像装置１００による発光制御設定の例について、説明をする。先ず、外部ストロボ２００が装着されていない状態で発光制御設定を行うときの例について図８を用いて説明する。撮影待機状態のときにスイッチＳＷ７（図３）を押すと、ＬＣＤモニタ１０（図３）に操作メニューが表示される。スイッチＳＷ７、スイッチＳＷ８、スイッチＳＷ１０、スイッチＳＷ１１およびスイッチＳＷ１２を操作して「ストロボモード設定」を選択すると、図８（ａ）に示すようなストロボモード設定画面がＬＣＤモニタ１０に表示される。
【００４８】
図８（ａ）に示すように、ストロボモード設定画面では、ストロボの発光制御を自動的に行う「ＡＵＴＯモード」、全ての撮影動作時に発光をする「強制発光モード」、全ての撮影動作時に発光を行わない「発光禁止モード」及び発光量を利用者が設定可能な「マニュアル発光モード」の中から所望するモードを選択し、設定することができる。ここで設定された情報が発光制御情報として記憶されて、所定の発光制御に用いられる。
【００４９】
ストロボモード設定画面に表示されているカーソル８０をスイッチＳＷ７、スイッチＳＷ１０の操作によって移動させ、スイッチＳＷ１２を押すことで、発光制御設定を行うことができる。例えば、図８（ａ）に示す状態でスイッチＳＷ１２が押されると、撮像装置１００は「ＡＵＴＯモード」が設定される。ＡＵＴＯモードが設定されたときは、調光モードはプリ発光方式となり、撮影動作の前に、レリーズシャッターＳＷ１を半押し状態にするとプリ発光が行われ、このプリ発光によって被写体画像の明るさを測定し、本発光における発光量が決定される。
【００５０】
図８（ａ）の状態でカーソルを「マニュアル発光」モードに移動させて（図８（ｂ））スイッチＳＷ１２を押すと、マニュアル発光量設定画面が表示される。図８（ｃ）に示すように、マニュアル発光量設定画面では、内蔵ストロボ３の最小発光量（ＧＮ＝１）と最大発光量（ＧＮ＝１０）が「ＧＮ＝１−１０」として表示される。
【００５１】
「マニュアル発光量設定画面」において、スイッチＳＷ７及びスイッチＳＷ１０を操作して所定の発光量を示す位置にカーソルを移動させ、スイッチＳＷ１２を押すと、ストロボモードが「マニュアル発光」に設定され、選択された発光量が設定される。
スイッチＳＷ１２が押された後、ＬＣＤモニタ１２には被写体のスルー画が表示されて撮影待機状態となる。
【００５２】
次に、撮像装置１００に外部ストロボ２００が装着されているときの発光制御設定の例について説明をする。外部ストロボが装着されているときに「マニュアル発光量設定画面」において表示される発光量は、内蔵ストロボ３と外部ストロボ２００の合成発光量である。内蔵ストロボ３の発光量ＧＮ（ガイドナンバー）をＡ、外部ストロボ１００の発光量ＧＮをＢとしたとき、合成発光量はＡの２乗とＢの２乗の合計の平方根である。すなわち、合成発光量は√（Ａ２＋Ｂ２）で求められる。例えば内蔵ストロボ３の最大発光量がＧＮ＝１０、外部ストロボ２００の最大発光量がＧＮ＝２０であれば、合成最大発光量は２２．３６となる。
【００５３】
外部ストロボ２００を装着し、かつ、撮影待機状態のときにスイッチＳＷ７（図３）を押すと、ＬＣＤモニタ１０（図３）に操作メニューが表示される。スイッチＳＷ７、スイッチＳＷ８、スイッチＳＷ１０、スイッチＳＷ１１およびスイッチＳＷ１２を操作して「ストロボモード設定」を選択すると、外部ストロボ２００が装着されていないときに表示される画面の例と同様の図８（ａ）に示すようなストロボモード設定画面がＬＣＤモニタ１０に表示される。
【００５４】
カーソルを「マニュアル発光」モードに移動させてスイッチＳＷ１２を押すと、マニュアル発光量設定画面が表示される。外部ストロボ２００を装着しているときは、図８（ｄ）に示すように、内蔵ストロボ３と外部ストロボ２００の合成最小発光量（ＧＮ＝３）と、合成最大発光量（ＧＮ＝２２）が「ＧＮ＝３−２２」として表示される。
【００５５】
このように、本発明に係る撮像装置によれば、マニュアル発光量の設定を行うとき、最小発光量と最大発光量を識別可能に表示することができるので、利用者はこの表示を参考にしながら最適な発光量の設定を容易に行うことができる。
【００５６】
本実施例において、図８（ｃ）及び図８（ｄ）に例示したように、設定可能な値を「ＦＵＬＬ、−０．５ＥＶ、−１．０ＥＶ、−１．５ＥＶ・・」のように表示するのではなく、「ＦＵＬＬ、１／２、１／４、１／８・・・」としてもよい。また、設定値をガイドナンバーで表し「ＧＮ２２、ＧＮ２０、ＧＮ１８、ＧＮ１６・・・」のように表示してもよい。また、補正量やガイドナンバーを直接数値で入力するようにしてもよい。
【実施例２】
【００５７】
次に、上記撮像装置１００による撮影条件設定の例について説明する。先ず、外部ストロボ２００を装着していない状態で発光補正量設定を行うときの例について図９を用いて説明する。撮影待機状態において、スイッチＳＷ７（図３）を押すと、ＬＣＤモニタ１０（図３）に操作メニューが表示される。スイッチＳＷ７、スイッチＳＷ８、スイッチＳＷ１０、スイッチＳＷ１１およびスイッチＳＷ１２を操作して「撮影条件設定」を選択すると、図９（ａ）に示すような撮影条件設定画面がＬＣＤモニタ１０に表示される。
【００５８】
図９（ａ）に示すように、撮影条件設定画面では、「記録画素数」、「ＩＳＯ感度」などの種々の撮影条件とともに「調光補正」を選択することができる。撮影条件設定画面に表示されているカーソル８０をスイッチＳＷ７、スイッチＳＷ１０を操作して移動させ、スイッチＳＷ１２を押下することで、調光補正を行うことができる。
【００５９】
図９（ａ）の状態でカーソルを「調光補正」に移動させてスイッチＳＷ１２を押すと、調光補正量設定画面が表示される。図８（ｂ）に示すように、調光補正量設定画面では、内蔵ストロボ３の最小発光量（ＧＮ＝１）と最大発光量（ＧＮ＝１０）が「ＧＮ＝１−１０」として表示される。
【００６０】
「マニュアル発光量設定画面」において、スイッチＳＷ７及びスイッチＳＷ１０を操作して所定の調光補正量を示す位置にカーソルを移動させ、スイッチＳＷ１２を押すと、選択された調光補正量が設定される。スイッチＳＷ１２が押された後、ＬＣＤモニタ１２には被写体のスルー画が表示されて撮影待機状態となる。
【００６１】
次に、撮像装置１００に外部ストロボ２００が装着されているときの調光補正量設定の例について説明をする。撮影待機状態のときにスイッチＳＷ７（図３）を押すと、ＬＣＤモニタ１０（図３）に操作メニューが表示される。スイッチＳＷ７、スイッチＳＷ８、スイッチＳＷ１０、スイッチＳＷ１１およびスイッチＳＷ１２を操作して「撮影条件設定」を選択すると、外部ストロボ２００が装着されていないときに表示される画面の例と同様の図９（ａ）に示すような撮影条件設定画面がＬＣＤモニタ１０に表示される。
【００６２】
カーソルを「調光補正」に移動させてスイッチＳＷ１２を押すと、調光補正量設定画面が表示される。外部ストロボ２００を装着しているときは、図９（ｃ）に示すように、内蔵ストロボ３と外部ストロボ２００の合成最小発光量（ＧＮ＝３）と、合成最大発光量（ＧＮ＝２２）が「ＧＮ＝３−２２」として表示される。
【００６３】
このように、本発明に係る撮像装置によれば、調光補正をおこなうときにも、最小発光量と最大発光量を識別可能に表示することができるので、利用者はこの表示を参考にしながら最適な発光量の設定を容易に行うことができる。
【００６４】
また、本発明に係る撮像装置によれば、外部ストロボが装着されているときのみ、内蔵ストロボと外部ストロボのＧＮから算出される合成最大発光量を、マニュアル発光量設定画面において、選択可能な発光量と同時に表示することで、外部ストロボが装着されていないときに表示されるマニュアル発光量設定画面と同じ画面表示を介して調光設定を行うことができるので、操作感が統一され、容易に設定を行うことができるようになる。
【００６５】
外部ストロボ１００が装着された撮像装置１において、マニュアル露光設定がなされるとき、設定されたＧＮと撮像距離（被写体までの距離）にしたがって、利用者の任意の操作による絞り値が設定できるようにしてもよい。また、外光オート方式、ＴＴＬ調光方式の１回発光当たりの上限設定を組み合わせることで、ストロボ照射を伴う繰り返し撮影の回数を補償することができるようにしてもよい。
繰り返し発光回数はキセノン管、発光方式によって決定され、コンデンサの最低発光電圧に影響される。従って、内蔵ストロボ３及び外部ストロボ１００の特性に応じた制御テーブルを予め内蔵メモリ１２０に記憶させておき、この制御テーブルにもとづいて発光回数を設定できるようにしてもよい。
【００６６】
内蔵ストロボ３に対して外部ストロボ１００の発光量が十分に大きいとき、外部ストロボ１００の発光量が支配的になるので、このような外部ストロボ１００が装着されているときは、内蔵ストロボ３の動作を停止するように発光制御をしてもよい。
【００６７】
本発明に係る撮像装置は、図３及び図５の外観図から明らかなように、外部ストロボ１００を装着すると内蔵ストロボ３が使用できなくなる。従来の撮像装置では、外部ストロボが装着され電源が投入されると、当該撮像装置を例えばＴＴＬモードで使用しているときは、第２の表示装置であるＬＣＤ表示部１０７には、図１０（ａ）に示すように「ＴＴＬ」モードに係る表示がされる。調光モードをマニュアルに変更する場合は、ＳＷ１０８を操作してモードを「Ｍ」に変更し、その後、ＳＷ１０９を操作して図１０（ｂ）および図１０（ｃ）に示すように所定の発光量の表示を繰り返し変更しながら所定の発光量を探り、発光量の選択をする必要があった。
【００６８】
しかし、本発明に係る撮像装置は、上記のように撮像装置１が備えるスイッチＳＷ７、スイッチＳＷ８、スイッチＳＷ１０、スイッチＳＷ１１およびスイッチＳＷ１２の操作によって、外部ストロボ１００に対する発光量などの設定を行うことができるので、マニュアル発光量設定画面（図８（ａ））を介して、マニュアル発光量が設定されたときは、それまでの外部ストロボ１００のＬＣＤ表示部１０７における表示に関わりなく、例えば図１０（ｃ）のように設定された発光量が表示されるようになる。
【００６９】
本発明に係る撮像装置は、所定の操作によって設定された調光方式がＴＴＬ調光方式であるとき、第１の制御手段であるＣＰＵブロック１０４−３によって、内蔵ストロボ３と装着された外部ストロボ１００の発光動作を停止させることができる。
【００７０】
また、本発明に係る撮像装置は、所定の操作によって設定された調光方式が外光オート方式であるとき、第２の制御手段である外部ストロボ１００が備えるＣＰＵによって、内蔵ストロボ３と外部ストロボ１００の発光動作を停止させることができる。
【実施例３】
【００７１】
次に、本発明に係る撮像装置のさらに別の実施例について説明をする。図１１は、本発明に係る撮像装置１に、第二の照明手段である外部ストロボ２００を装着したときの例を示す機能ブロック図である。図１１において、内蔵ストロボ３は、発光部３１、第１の制御手段３２、第１の測光センサー３３、接続手段３４を有してなる。外部ストロボ２００は、発光部２０１、第２の制御手段２１０、第２の測光センサー２０２、接続手段２１１を有してなる。
【００７２】
発光部３１は第１の制御手段３２の発光制御に基づいて、所定の発光量による発光と発光停止を行う。第１の制御手段３２は、撮像装置１が有するＣＰＵ１０４によって動作制御がされ、これによって発光制御情報に応じて発光部３１の動作を制御する。第１の測光センサー３３はプリ発光方式による調光に用いる光量検出センサーであって、撮像装置１の前面部に設けられてもよい。また、内蔵ストロボ３のプリ発光による被写体からの反射光を撮像素子において画像データに変換し、この画像データから光量を検出するようにしてもよい。この場合は、第１の測光センサーは撮像素子によって構成される。接続手段３４と接続手段２１１は、互いに対向し、第１の制御手段３２と第２の制御手段２１０を通信可能に接続する手段である。
【００７３】
第２の制御手段２１０は、接続手段３４及び２１１を介してＣＰＵ１０４によって動作制御がされ、これによって発光制御情報に応じた発光部２０１の発光動作を制御する。第２の測光センサーは外光オート方式による調光に用いる光量検出センサーである。発光部２０１は、第２の制御手段２１０の発光制御によって、所定の発光量による発光と発光停止を行う。
【００７４】
第２の制御手段２１０には、反射光量検出後の停止制御遅れによる露出過多を補償する補償回路を備えている。補償回路は反射光量の積分速度に応じて、早めに停止信号を発生する回路であって、積分速度が速いほど停止信号を早く発生させる。
【００７５】
次に、本発明に係る撮像装置における発光制御方法の例について説明する。図１２は、本実施例に係る発光制御処理の流れを示すフローチャートである。図１２において、各処理ステップをＳ１、Ｓ２・・・のように示す。
【００７６】
レリーズＳＷ１が操作されると（Ｓ１のＹ）、設定されている発光制御モードを判断し（Ｓ２）、プリ発光方式が設定されていればＣＰＵ１０４が第１の制御手段３２と第２の制御手段２１０をプリ発光モードに設定し（Ｓ３）、外光オート発光方式が設定されていればＣＰＵ１０４が第１の制御手段３２と第２の制御手段２１０を外光オートに設定する（Ｓ１１）。
【００７７】
第１の制御手段３２と第２の制御手段２１０がプリ発光モードに設定されたとき（Ｓ３）、第１の制御手段が第１の照明装置である内蔵ストロボ３を所定光量でプリ発光させる（Ｓ４）。次に第１の制御手段が第１の測光センサー３３の受光量を検出する（Ｓ５）。第１の測光センサー３３が検出した受光量に応じて、ＣＰＵが第１の照明装置と第２の照明装置の発光量を決定する（Ｓ６）。次に、露光動作を開始し（Ｓ７）、ＣＰＵ１０４から発光開始信号が発せられるまで露光動作（Ｓ７）を継続する（Ｓ８のＮ）。発光開始信号が発せされれば（Ｓ８のＹ）、Ｓ６において決定された発光量となるように第１の制御手段３２と第２の制御手段２１０によって発光制御がされ、決定された発光量になれば発光が停止されて（Ｓ９）、発光制御を終了する（Ｓ１０）。
【００７８】
第１の制御手段３２と第２の制御手段２１０が外光オートモードに設定されたとき（Ｓ１１）、第２の制御手段２１０が第２の測光センサー２０２の受光量を決定する（Ｓ１２）。次に、露光動作を開始する（Ｓ１３）。次にＣＰＵ１０４から発光開始信号が発せられるまで露光動作（Ｓ１３）を継続し（Ｓ１４のＮ）、発光開始信号が発せされれば（Ｓ１４のＹ）、第１の制御手段３２と第２の制御手段２１０によって、発光部３１及び発光部２０１の発光を開始する（Ｓ１５）。次に第２の制御手段２１０が第２の測光センサー２０２の受光量を検出する（Ｓ１６）。第２の測光センサー２０２が受光した受光量がＳ１２において決定された受光量に達していなければ（Ｓ１７のＮ）、発光動作（Ｓ１５）が開始されてから所定の時間が経過したか否かを判定し（Ｓ１８）、所定の時間を経過していれば（Ｓ１８のＹ）発光制御を終了する（Ｓ１０）。所定の時間を経過していなければ（Ｓ１８のＮ）受光量検出（Ｓ１６）を継続する。
【００７９】
第２の測光センサー２０２が受光した受光量がＳ１２において決定された受光量に達していれば（Ｓ１７のＹ）、第２の制御手段２１０が発光停止信号を発して、第２の照明装置における発光部２０１の発光を停止する（Ｓ１９）。次に、第１の制御手段３２が、第２の制御手段２１０が発した発光停止信号を接続手段２１１と３４を介して受け取り、第１の照明装置の発光部３１の発光を停止する（Ｓ２０）。
【００８０】
以上のように本実施例に係る撮像装置によれば、設定されている発光制御モードによって、第１の照明装置と第２の照明装置の発光制御を変更させることができる。上記実施例３において、第１の照明装置である内蔵ストロボ３をプリ発光方式で制御し、第２の照明装置である外部ストロボ２００を外光オート方式で制御したが、これに限ることなく、内蔵ストロボ３を外光オート方式、外部ストロボ２００をプリ発光方式としてもよい。
この場合、第１の制御手段が発光停止信号を発生して、ＣＰＵ１０４を介することなく、第２の制御手段が発光停止信号を検出するようにしてもよい。
【００８１】
また、実施例３に係る撮像装置において、内蔵ストロボ３をＴＴＬダイレクト調光方式とし、外部ストロボ２００を外光オート方式としてもよい。この場合、第１の制御手段と第２の制御手段がそれぞれ発光停止信号を発生させることがあるので、ＣＰＵ１０４を介することなく接続手段３４及び２１１を介して双方向に発光停止信号を検出できるようにすればよい。
【００８２】
以上、本発明に係る撮像装置によれば、外部ストロボを装着したときに、内蔵ストロボとの合成発光量を設定画面に表示することができるので、撮像装置が備える設定手段を用いた設定を容易に行うことができるようになる。
また、設定された発光制御モードに応じて、内蔵ストロボが備える制御手段と外部ストロボが備える制御手段によって、最適な発光制御をおこなうことができるようになる。
【符号の説明】
【００８３】
３  内部ストロボ
１０  ＬＣＤモニタ
１００  撮像装置
２００  外部ストロボ
【先行技術文献】
【特許文献】
【００８４】
【特許文献１】特開２００８−１１６７４８号公報
【図１】
2011027978.tif 000003
【図２】
2011027978.tif 000004
【図３】
2011027978.tif 000005
【図４】
2011027978.tif 000006
【図５】
2011027978.tif 000007
【図６】
2011027978.tif 000008
【図７】
2011027978.tif 000009
【図８】
2011027978.tif 000010
【図９】
2011027978.tif 000011
【図１０】
2011027978.tif 000012
【図１１】
2011027978.tif 000013
【図１２】
2011027978.tif 000014